【手続補正書】
【提出日】平成20年1月31日(2008.1.31)
【手続補正１】
【補正対象書類名】明細書
【補正対象項目名】特許請求の範囲
【補正方法】変更
【補正の内容】
【特許請求の範囲】
【請求項１】  図柄表示部(30)に停止表示された複数列・複数段の各図柄(27)により現出され得る図柄の図柄組合わせラインを、前記図柄表示部(30)の前側に配設される透視板体(31)に設けた有効ライン(L1,L2,L3,L4,L5)で表示するようにした図柄表示装置の有効ライン表示構造であって、
前記透視板体(31)を構成する透明板(33/33A,33B,33C,33D)の板面に、該板面に対して直交する方向に突出すると共に前記図柄表示部(30)に停止表示される前記図柄(27)の組合わせラインに沿って延在するよう配設され、反射面(38)で構成された溝部(35/35A,35B,35C,35D,35E)が形成された表示部材(34)と、
前記表示部材(34)における前記溝部(35/35A,35B,35C,35D,35E)の端部が臨む左側端面(39)および右側端面(40)に夫々隣接して、該溝部(35/35A,35B,35C,35D,35E)に対して照射光を照射可能に配置され、遊技態様に対応して点灯・消灯制御される光源(32)とからなり、
前記溝部(35/35A,35B,35C,35D,35E)の反射面(38)の不透明度は、前記表示部材(34)の左右両側端面(39,40)の側から中央部に向けて徐々に増大するよう設定され、
前記光源(32)が点灯制御された際に該光源(32)からの照射光が前記溝部(35/35A,35B,35C,35D,35E)の反射面(38)で反射し、これにより前記透視板体(31)の表面に明輝した該溝部(35/35A,35B,35C,35D,35E)が前記有効ライン(L1,L2,L3,L4,L5)として表示されるよう構成した
ことを特徴とする図柄表示装置の有効ライン表示構造。
【請求項２】  図柄表示部(30)に停止表示された複数列・複数段の各図柄(27)により現出され得る図柄の図柄組合わせラインを、前記図柄表示部(30)の前側に配設される透視板体(31)に設けた有効ライン(L1,L2,L3,L4,L5)で表示するようにした図柄表示装置の有効ライン表示構造であって、
前記透視板体(31)を構成する透明板(33/33A,33B,33C,33D)の板面に、該板面に対して直交する方向に突出すると共に前記図柄表示部(30)に停止表示される前記図柄(27)の組合わせラインに沿って延在するよう配設され、反射面(38)で構成された溝部(35/35A,35B,35C,35D,35E)が形成された表示部材(34)と、
前記表示部材(34)における前記溝部(35/35A,35B,35C,35D,35E)の端部が臨む左側端面(39)または右側端面(40)の何れかに隣接して、該溝部(35/35A,35B,35C,35D,35E)に対して照射光を照射可能に配置され、遊技態様に対応して点灯・消灯制御される光源(32)とからなり、
前記溝部(35/35A,35B,35C,35D,35E)の反射面(38)の不透明度は、前記表示部材(34)における光源(32)を配置した側端面(39,40)から反対側の側端面(40,39)の側に向けて徐々に増大するよう設定され、
前記光源(32)が点灯制御された際に該光源(32)からの照射光が前記溝部(35/35A,35B,35C,35D,35E)の反射面(38)で反射し、これにより前記透視板体(31)の表面に明輝した該溝部(35/35A,35B,35C,35D,35E)が前記有効ライン(L1,L2,L3,L4,L5)として表示されるよう構成した
ことを特徴とする図柄表示装置の有効ライン表示構造。
【請求項３】  前記光源(32)を、前記透明板(33)に対する表示部材(34)の突出方向に離間して複数個配設して、前記溝部(35/35A,35B,35C,35D,35E)の反射面(38)に対して各光源(32)からの照射光が斜めに照射されるよう構成した請求項１または２記載の図柄表示装置の有効ライン表示構造。
【請求項４】  前記表示部材(34)の溝部(35/35A,35B,35C,35D,35E)は、平面視において略Ｖ字状に形成されている請求項１〜３の何れか一項に記載の図柄表示装置の有効ライン表示構造。
【手続補正２】
【補正対象書類名】明細書
【補正対象項目名】０００７
【補正方法】変更
【補正の内容】
【０００７】
【課題を解決するための手段】
前述した課題を克服し、所期の目的を好適に達成するため本発明は、
図柄表示部に停止表示された複数列・複数段の各図柄により現出され得る図柄の図柄組合わせラインを、前記図柄表示部の前側に配設される透視板体に設けた有効ラインで表示するようにした図柄表示装置の有効ライン表示構造であって、
前記透視板体を構成する透明板の板面に、該板面に対して直交する方向に突出すると共に前記図柄表示部に停止表示される前記図柄の組合わせラインに沿って延在するよう配設され、反射面で構成された溝部が形成された表示部材と、
前記表示部材における前記溝部の端部が臨む左側端面および右側端面に夫々隣接して、該溝部に対して照射光を照射可能に配置され、遊技態様に対応して点灯・消灯制御される光源とからなり、
前記溝部の反射面の不透明度は、前記表示部材の左右両側端面の側から中央部に向けて徐々に増大するよう設定され、
前記光源が点灯制御された際に該光源からの照射光が前記溝部の反射面で反射し、これにより前記透視板体の表面に明輝した該溝部が前記有効ラインとして表示されるよう構成したことを特徴とする。
また前述した課題を克服し、所期の目的を好適に達成するため本願の別の発明は、
図柄表示部に停止表示された複数列・複数段の各図柄により現出され得る図柄の図柄組合わせラインを、前記図柄表示部の前側に配設される透視板体に設けた有効ラインで表示するようにした図柄表示装置の有効ライン表示構造であって、
前記透視板体を構成する透明板の板面に、該板面に対して直交する方向に突出すると共に前記図柄表示部に停止表示される前記図柄の組合わせラインに沿って延在するよう配設され、反射面で構成された溝部が形成された表示部材と、
前記表示部材における前記溝部の端部が臨む左側端面または右側端面の何れかに隣接して、該溝部に対して照射光を照射可能に配置され、遊技態様に対応して点灯・消灯制御される光源とからなり、
前記溝部の反射面の不透明度は、前記表示部材における光源を配置した側端面から反対側の側端面の側に向けて徐々に増大するよう設定され、
前記光源が点灯制御された際に該光源からの照射光が前記溝部の反射面で反射し、これにより前記透視板体の表面に明輝した該溝部が前記有効ラインとして表示されるよう構成したことを特徴とする。
【手続補正３】
【補正対象書類名】明細書
【補正対象項目名】０００８
【補正方法】変更
【補正の内容】
【０００８】
【作用】
透明板体を構成する透明板に溝部を設けた表示部材を配設し、この溝部に対して光源からの照射光を照射することで該溝部の反射面で反射させ、これにより明輝した該溝部で有効ラインを表示するので、該有効ラインが鮮明に表示されて視認性が向上する。
そして前記光源を、前記表示部材の左側端面および右側端面に隣接して夫々配置した場合は、前記溝部の反射面の不透明度を、両側端面の側から中央部に向けて徐々に増大するよう設定すれば、該溝部全体が略均一的に明輝して有効ラインが鮮明に表示される。
また前記光源を、前記表示部材の左側端面または右側端面の何れかに隣接して配置した場合は、前記溝部の反射面の不透明度を、前記光源を配設した側端面の側から反対側の側端面の側に向けて徐々に増大するよう設定すれば、該溝部全体が略均一的に明輝して有効ラインが鮮明に表示される。
そして前記光源を、前記透明板に対する表示部材の突出方向に離間して複数個配設すれば、これら光源からの照射光が前記溝部の反射面に対して斜めに照射されるようになり、該照射光が反射面で好適に反射して有効ラインが鮮明に表示される。
【手続補正４】
【補正対象書類名】明細書
【補正対象項目名】００３２
【補正方法】変更
【補正の内容】
【００３２】
【発明の効果】
以上説明した如く、本発明に係る図柄表示装置の有効ライン表示構造によれば、光源からの照射光を、透視板体を構成する透明板に設けられた表示部材における溝部の反射面で反射させ、これにより明輝した該溝部で有効ラインを表示するようにしたから、有効ラインが鮮明に表示されて視認性が向上する利点がある。
【手続補正５】
【補正対象書類名】明細書
【補正対象項目名】００３３
【補正方法】削除
【補正の内容】
【手続補正６】
【補正対象書類名】明細書
【補正対象項目名】００３４
【補正方法】変更
【補正の内容】
【００３４】
前記光源を、前記表示部材の左側端面および右側端面に隣接して夫々配設した場合は、前記溝部の反射面の不透明度を、両側端面の側から中央部に向けて徐々に増大するよう設定すれば、光源からの遠近に拘らず該溝部全体が略均一的に明輝して有効ラインを鮮明に表示し得る利点がある。また前記光源を、前記表示部材の左側端面または右側端面の何れかに隣接して配設した場合は、前記溝部の反射面の不透明度を、前記光源を配設した側端面の側から反対側の側端面の側に向けて徐々に増大するよう設定すれば、同様に該溝部全体が略均一的に明輝して有効ラインを鮮明に表示することができる。
【手続補正７】
【補正対象書類名】明細書
【補正対象項目名】００３５
【補正方法】変更
【補正の内容】
【００３５】
前記光源を、前記透明板に対する表示部材の突出方向に離間して複数個配設すれば、これら光源からの照射光を前記溝部の反射面に対して斜めに照射させることが可能となり、該照射光が反射面で好適に反射して有効ラインが鮮明に表示される。また、表示部材の溝部を平面視において略Ｖ字状に形成することで、光源からの照射光が溝部の反射面に対して斜めに照射され、該照射光が反射面で好適に反射して有効ラインがより鮮明に表示される。
【手続補正８】
【補正対象書類名】明細書
【補正対象項目名】００３６
【補正方法】削除
【補正の内容】